(57)【要約】【課題】収容部の密閉性を向上させることができる配管カバーを提供すること。【解決手段】配管カバーは、第１施工面及び第２施工面により構成される入隅に設置される。配管カバーは、配管、又は、前記入隅に形成された引出孔を覆う収容部と、前記収容部の外側に設けられ、少なくとも、前記入隅における隅に対向する対向部分を有するフランジ部と、前記対向部分の端部から前記隅に向けて延びる延出部と、を備える。【選択図】図１
2018084264.tif 000002
【特許請求の範囲】
【請求項１】
第１施工面及び第２施工面により構成される入隅に設置される配管カバーであって、
配管、又は、前記入隅に形成された引出孔を覆う収容部と、
前記収容部の外側に設けられ、少なくとも、前記入隅における隅に対向する対向部分を有するフランジ部と、
前記対向部分の端部から前記隅に向けて延びる延出部と、  
を備える配管カバー。
【請求項２】
請求項１に記載の配管カバーであって、
前記収容部は、第１軸方向に沿って延びる第１収容部と、前記第１軸方向と直交する第２軸方向に沿って延びる第２収容部とが、略Ｌ字型に接続した形態を有し、
前記フランジ部は、
前記第１収容部の外側に設けられ、前記第１施工面に当接する第１フランジ部分と、
前記第２収容部の外側に設けられ、前記第２施工面に当接する第２フランジ部分と、
前記第１フランジ部分と前記第２フランジ部分とを接続する前記対向部分と、
を有する配管カバー。
【請求項３】
請求項１に記載の配管カバーであって、
前記収容部は、前記入隅を構成する第１施工面と交差する方向に延びる筒状部であり、
前記フランジ部は、前記筒状部の外周側に設けられ、前記第１施工面に当接するとともに、前記対向部分と接続する第１フランジ部分を有する配管カバー。
【請求項４】
請求項１〜３のいずれか１項に記載の配管カバーであって、
前記対向部分は、側面視において、前記隅に向けて張り出す略円弧形状を有する配管カバー。
【発明の詳細な説明】
【技術分野】
【０００１】
本開示は配管カバーに関する。
【背景技術】
【０００２】
従来、以下のような配管カバーが知られている。配管カバーは入隅に配置される。配管カバーは、入隅に沿って配設された配管、又は、入隅に形成された引出孔を覆う収容部を備える（特許文献１参照）。
【先行技術文献】
【特許文献】
【０００３】
【特許文献１】特開２００５−３２３４３２号公報
【発明の概要】
【発明が解決しようとする課題】
【０００４】
上記の配管カバーに、例えば、収容部の密閉性や剛性を向上させるためにフランジ部を設けることが考えられる。フランジ部は、収容部の外側に設けられ、入隅における隅に対向する対向部分を有する。
【０００５】
隅の形態は一様ではないため、対向部分が隅と干渉することを抑制するためには、対向部分を隅から離す必要がある。その場合、対向部分と隅との間隔が大きくなり、収容部の密閉性が低下してしまう。
【０００６】
本開示の一局面は、収容部の密閉性を向上させることができる配管カバーを提供することを目的とする。
【課題を解決するための手段】
【０００７】
本開示の一態様は、入隅に配置される配管カバーであって、配管、又は、前記入隅に形成された引出孔を覆う収容部と、前記収容部の外側に設けられ、少なくとも、前記入隅における隅に対向する対向部分を有するフランジ部と、前記対向部分の端部から前記隅に向けて延びる延出部と、を備える配管カバーである。
【０００８】
本開示の配管カバーは、対向部分の端部から隅に向けて延びる延出部を備える。そのため、収容部の密閉性を向上させることができる。また、延出部が隅と干渉する場合は、例えば、隅の一部を切り落として、干渉を抑制することができる。また、上記のとおり、延出部によって収容部の密閉性を向上させることができるので、対向部分を必ずしも隅に接近させなくてもよい。
【図面の簡単な説明】
【０００９】
【図１】配管カバー１の構成を表す斜視図である。
【図２】配管カバー１の構成を表す正面図である。
【図３】配管カバー１の構成を表す上面図である。
【図４】配管カバー１の構成を表す下面図である。
【図５】配管カバー１の構成を表す側面図である。
【図６】配管カバー１の構成を表す背面図である。
【図７】図２におけるVII-VII断面での断面図である。
【図８】施工面７Ａ、７Ｂに設置した配管カバー１を表す説明図である。
【図９】配管カバー１の使用方法を表す説明図である。
【図１０】配管カバー１０１の構成を表す斜視図である。
【図１１】配管カバー１０１の構成を表す正面図である。
【図１２】配管カバー１０１の構成を表す側面図である。
【図１３】配管カバー１０１の構成を表す背面図である。
【図１４】図１１におけるXIV-XIV断面での断面図である。
【図１５】図１１におけるXV-XV断面での断面図である。
【図１６】施工面７Ａ、７Ｂに設置した配管カバー１０１を表す説明図である。
【図１７】施工面７Ａ、７Ｂに設置した配管カバー１０１を表す説明図である。
【図１８】図１８Ａは、内側面２９Ｃの別形態を表す説明図であり、図１８Ｂは、図１８ＡにおけるXVIIIB- XVIIIB断面での断面図である。
【発明を実施するための形態】
【００１０】
本開示の実施形態を図面に基づき説明する。
＜第１実施形態＞
１．配管カバー１の構成
配管カバー１の構成を図１〜図８に基づき説明する。図８に示すように、配管カバー１は、施工面７Ａ、７Ｂに設置される。施工面７Ａ、７Ｂはいわゆる入隅を構成し、施工面７Ａと施工面７Ｂとは略直交する。施工面７Ａには、配管３の引出孔５が形成されている。配管カバー１は引出孔５を覆う。配管カバー１の材質は樹脂である。施工面７Ａは第１施工面に対応する。
【００１１】
図１〜図７に示すように、配管カバー１は、フランジ部９と、筒状部１１と、開口部１５と、を備える。図１、図２に示すように、フランジ部９の基本形態は、筒状部１１の外周側に設けられた矩形の板状部材である。
【００１２】
図８に示すように、フランジ部９は、その一方の面（以下では第１面１６とする）において、施工面７Ａにビス等で取り付けられる。筒状部１１は、フランジ部９における、第１面１６とは反対の面（以下では第２面１９とする）から、施工面７Ａとは反対方向に突出する。筒状部１１の軸方向Ｄは、施工面７Ａと直交する。直交は交差に対応する。  
【００１３】
図１、図２に示すように、正面視において、筒状部１１は、フランジ部９における中心よりも、フランジ部９における一方の端部１７寄りの位置にある。筒状部１１は、その軸方向Ｄに沿って貫通されている部材である。筒状部１１は、フランジ部９の側に孔１３を備え、その孔１３において外部と連通している。孔１３の形状は、正面視において円形である。
【００１４】
図１、図４、図７に示すように、筒状部１１の先端２１における内面にリブ１８が形成されている。リブ１８は、正面視において、筒状部１１の中心方向に突出している。リブ１８は、筒状部１１の内面における全周にわたって形成されている。リブ１８は、配管３を配管カバー１に収容したとき、配管３の外周面に当接する。
【００１５】
図１、図２、図４、図６に示すように、開口部１５は、筒状部１１の内部と外部とを連通する。開口部１５は、筒状部１１の軸方向Ｄに沿って、筒状部１１の先端２１から、筒状部１１の側面を通り、フランジ部９まで連続している。開口部１５は、筒状部１１及びフランジ部９における端部１７の側に形成されている。
【００１６】
図４に示すように、開口部１５の幅Ｗは、施工面７Ａに近づくほど広い。図２に示すように、先端２１における開口部１５の幅Ｗ０は、先端２１における筒状部１１の内径Ｒよりも小さい。幅Ｗは、端部１７に平行な方向（すなわち図２における左右方向）における幅である。
【００１７】
図１〜図３、図５に示すように、フランジ部９は、端部１７と、境界線２３との間に傾斜部２５を有する。境界線２３は、端部１７と平行であり、正面視において筒状部１１を横切る直線である。
【００１８】
図５に示すように、傾斜部２５は、端部１７に近づくほど、施工面７Ａから離れるように傾斜している。また、側面視において、傾斜部２５は、隅７Ｃに向けて張り出す略円弧形状を有する。図８に示すように、隅７Ｃは、施工面７Ａと施工面７Ｂとで構成される隅である。
【００１９】
図５に示すように、傾斜部２５は、施工面７Ａから離間している。傾斜部２５のうち、端部１７は、施工面７Ｂのうち、施工面７Ａから離間した部分に当接する。傾斜部２５は、隅７Ｃに対向している。傾斜部２５は対向部分に対応する。
【００２０】
フランジ部９のうち、傾斜部２５を除く部分（以下では平坦部２７とする）は平坦である。平坦部２７は施工面７Ａのうち、施工面７Ｂから離間した部分に当接する。平坦部２７は傾斜部２５と接続している。平坦部２７は第１フランジ部分に対応する。
【００２１】
フランジ部９は、平坦部２７のうち、施工面７Ａとは反対側の面に、凹部２８を備える。また、フランジ部９は、傾斜部２５のうち、施工面７Ａ、７Ｂとは反対側の面に、凹部３０を備える。凹部２８、３０は、ビスの打ち付け位置の目安となる。凹部２８、３０を備えることにより、上下方向や左右方向においてビスの打ち付け位置がずれることを抑制できる。その結果、施工後の美観を向上させることができる。
【００２２】
図１、図４〜図６に示すように、配管カバー１は、フランジ部９の両側にそれぞれ延出部２９を備える。傾斜部２５における、端部１７と交差する端部を端部３３とする。延出部２９は、端部３３から隅７Ｃに向けて延びる板状部材である。延出部２９の板厚方向は、端部１７と平行であり、フランジ部９の板厚方向と直交する。
【００２３】
図５に示すように、延出部２９における施工面７Ａ側の端部２９Ａは、平坦部２７を外挿した平面上にある。延出部２９における施工面７Ｂ側の端部２９Ｂは、端部１７を通り、端部２９Ａと直交する。側面視において、延出部２９は、傾斜部２５よりも、施工面７Ａ、７Ｂに近い。端部２９Ａと端部２９Ｂとが交差する頂点を頂点２９Ｄとする。図４、図６、図７に示すように、延出部２９の内側面２９Ｃは、頂点２９Ｄに近づくほど板厚が減少するように、階段状に薄肉化されている。
【００２４】
配管カバー１を施工面７Ａ、７Ｂに設置したとき、延出部２９と隅７Ｃとが干渉する場合は、延出部２９の一部を削除する等の方法で、容易に干渉を抑制することができる。延出部２９の内側面２９Ｃは、頂点２９Ｄに近づくほど板厚が減少するように、階段状に薄肉化されているので、延出部２９の一部を削除することは一層容易である。なお、延出部２９の一部を削除した場合でも、フランジ部９が損傷することはない。
【００２５】
内側面２９Ｃは、階段状に薄肉化されているので、延出部２９における削除量の確認が容易である。その結果、延出部２９を過大に削除してしまうことを抑制できる。また、両側の延出部２９における削除量を均一化できるので、施工後の美観が向上する。
【００２６】
２．配管カバー１の使用方法
配管カバー１の使用方法を図９に基づき説明する。配管カバー１を施工面７Ａ、７Ｂに設置する前に、図９に示すように、配管カバー１に対し、配管３をＰ１の位置に押し付ける。このとき、開口部１５の幅Ｗが広い、筒状部１１の根元側では、配管３が開口部１５を通り、筒状部１１及び孔１３の内部に進入している。一方、筒状部１１における先端２１の側では、配管３は、筒状部１１に進入していない。
【００２７】
次に、配管３を、図９における時計回りに回転し、筒状部１１における先端２１の側でも、配管３を筒状部１１に進入させる。その結果、配管３は、筒状部１１の全体及び孔１３を通る位置Ｐ２に移動する。すなわち、配管３は筒状部１１に収容される。次に、配管カバー１を、図８に示すように、施工面７Ａ、７Ｂに設置する。
【００２８】
３．配管カバー１が奏する効果
（１Ａ）配管カバー１は、傾斜部２５における端部３３から隅７Ｃに向けて延びる延出部２９を備える。そのため、筒状部１１の密閉性を向上させることができる。また、延出部２９が隅７Ｃと干渉する場合は、延出部２９の一部を切り落として、干渉を抑制することができる。出部２９の一部を切り落としても、フランジ部９が損傷することはない。
【００２９】
また、上記のとおり、延出部２９によって筒状部１１の密閉性を向上させることができるので、傾斜部２５を必ずしも隅７Ｃに接近させなくてもよい。そのため、傾斜部２５と隅７Ｃとの干渉を抑制できる。
【００３０】
（１Ｂ）配管カバー１は、施工面７Ａに交差する方向に延びる筒状部１１を備える。フランジ部９は筒状部１１の外周側に設けられている。フランジ部９のうち、平坦部２７は施工面７Ａに当接するとともに、傾斜部２５と接続する。
【００３１】
そのため、筒状部１１により、配管３及び引出孔５を覆うことができる。また、平坦部２７を備えることにより、筒状部１１の密閉性を一層向上させることができる。
（１Ｃ）傾斜部２５は、側面視において、隅７Ｃに向けて張り出す略円弧形状を有する。そのため、配管カバー１の剛性を確保しつつ、傾斜部２５と隅７Ｃとの間に隙間を形成することができる。その結果、隅７Ｃと配管カバー１との干渉を抑制することができる。
【００３２】
（１Ｄ）凹部３０は、隅７Ｃ（図８参照）と対向する。凹部３０にビスを打ち、そのビスを隅７Ｃ又はその近傍にねじ込むことにより、延出部２９を隅７Ｃにしっかり押し当てることができる。
【００３３】
隅７Ｃの裏側の壁内には、柱が配置されることが多い。凹部３０にビスを打ち、そのビスを上記の柱にねじ込むことができる。その結果、配管カバー１の取り付け強度が向上する。
【００３４】
凹部３０にビスを打つとき、傾斜部２５のうち、凹部３０又はその近傍の面に直交する方向にビスを打つことができる。この場合、最後までねじ込まれたビスの頭は、傾斜部２５に対し傾かない。その結果、施工後の美観を向上させることができる。
【００３５】
大型の工具（例えば、インパクトレンチ等）を用いて、ビスを凹部３０に打つことがある。その場合、工具の位置は、隅７Ｃから見て、斜め上方にあり、施工面７Ａ、７Ｂから離れている。その結果、工具の使用が容易である。
＜第２実施形態＞
１．配管カバー１０１の構成
配管カバー１０１の構成を図１０〜図１６に基づき説明する。図１６に示すように、配管カバー１０１は、施工面７Ａ、７Ｂに設置される。施工面７Ａ、７Ｂはいわゆる入隅を構成し、施工面７Ａと施工面７Ｂとは略直交する。配管カバー１０１は樹脂から成る。施工面７Ａは第１施工面に対応し、施工面７Ｂは第２施工面に対応する。
【００３６】
図１０〜図１３に示すように、配管カバー１０１は、中空の収容部３５と、１対のフランジ部３７と、を備える。収容部３５は、第１軸方向Ｘ１に沿って延びる第１収容部３９と、第２軸方向Ｘ２に沿って延びる第２収容部４１と、を備える。第２軸方向Ｘ２は第１軸方向Ｘ１と直交する。第１収容部３９と、第２収容部４１とは、略Ｌ字型に接続している。
【００３７】
第１収容部３９は、中央部４３Ａと、１対の側面部４５Ａと、端面４７Ａと、を備える。中央部４３Ａは、収容部３５が構成するＬ字型における内側に位置し、軸方向が第１軸方向Ｘ１である半筒形状を有する。１対の側面部４５Ａは、それぞれ、中央部４３Ａの幅方向ＸＷにおける両側にて、中央部４３Ａとフランジ部３７とを接続する。幅方向ＸＷは、第１軸方向Ｘ１及び第２軸方向Ｘ２に直交する方向である。１対の側面部４５Ａは互いに平行であり、幅方向ＸＷに直交する。１対の側面部４５Ａは、それぞれ、平坦な形状を有する。
【００３８】
端面４７Ａは、第１軸方向Ｘ１における第１収容部３９の端面である。端面４７Ａには、略Ｕ字形状の引出口４９Ａが形成されている。引出口４９Ａは第１収容部３９の内部と外部とを連通する。
【００３９】
図１０、図１３〜図１５に示すように、第１収容部３９は、収容部３５が構成するＬ字型における外側に開口部５１Ａを備える。開口部５１Ａは、第１収容部３９の内部と外部とを連通する。開口部５１Ａは、第１軸方向Ｘ１に沿って、第１収容部３９の全体にわたって形成されており、後述する開口部５１Ｂに接続している。また、開口部５１Ａは、引出口４９Ａに接続している。
【００４０】
図１３に示すように、第１収容部３９の内面には２枚のリブ５３と、２枚のリブ５５とが設けられている。２枚のリブ５３は、それぞれ、一方の側面部４５Ａの内面に設けられ、第１収容部３９の中心に向けて突出している。２枚のリブ５３は、第１軸方向Ｘ１に沿って配列している。２枚のリブ５５は、それぞれ、リブ５３とは反対側の側面部４５Ａの内面に設けられ、第１収容部３９の中心に向けて突出している。２枚のリブ５５は、第１軸方向Ｘ１に沿って配列している。リブ５３とリブ５５とは対向している。リブ５３、５５は、後述するように配管７５を配管カバー１０１に収容したとき、配管７５の外周面に当接する。
【００４１】
第２収容部４１は、第１収容部３９と同様の形態を有する。第２収容部４１における中央部を４３Ｂとし、１対の側面部を４５Ｂとし、端面を４７Ｂとし、引出口を４９Ｂとし、開口部を５１Ｂとする。第１収容部３９の内部と、第２収容部４１の内部とは連通している。
【００４２】
図１０〜図１３に示すように、フランジ部３７は、１対の第１フランジ部分５７と、１対の第２フランジ部分５９と、１対の対向部分６１と、を有する。第１フランジ部分５７は、第１収容部３９の、幅方向ＸＷにおける両方の外側に設けられている。さらに詳しくは、第１フランジ部分５７は、側面部４５Ａのうち、中央部４３Ａとは反対側の端部から、幅方向ＸＷにおける外側に延びる。第１フランジ部分５７の長手方向は第１軸方向Ｘ１である。１対の第１フランジ部分５７は同一平面上にある。
【００４３】
第２フランジ部分５９は、第２収容部４１の、幅方向ＸＷにおける両方の外側に設けられている。さらに詳しくは、第２フランジ部分５９は、側面部４５Ｂのうち、中央部４３Ｂとは反対側の端部から、幅方向ＸＷにおける外側に延びる。第２フランジ部分５９の長手方向は第２軸方向Ｘ２である。１対の第２フランジ部分５９は同一平面上にある。
【００４４】
図１６に示すように、配管カバー１０１を施工面７Ａ、７Ｂに設置したとき、第１フランジ部分５７は施工面７Ａに当接する。また、第２フランジ部分５９は施工面７Ｂに当接する。
【００４５】
図１０〜図１３に示すように、対向部分６１は、第１フランジ部分５７と第２フランジ部分５９との間を接続する。図１２に示すように、対向部分６１は、側面視において、収容部３５が構成するＬ字型の外側に向けて張り出す略円弧形状を有する。
【００４６】
図１６に示すように、配管カバー１０１を施工面７Ａ、７Ｂに設置したとき、対向部分６１は、隅７Ｃに対向する。隅７Ｃは、施工面７Ａと施工面７Ｂとで構成される隅である。対向部分６１の形状は、側面視において、隅７Ｃに向けて張り出す略円弧形状である。対向部分６１は、施工面７Ａ、７Ｂから離間している。
【００４７】
図１０〜図１３、図１６に示すように、配管カバー１０１は、対向部分６１の、幅方向ＸＷにおける外側に延出部６３を備える。図１０、図１２に示すように、側面視において、延出部６３は、端部６５から、収容部３５が構成するＬ字型の外側に向けて延びる板状部材である。端部６５は、対向部分６１の幅方向ＸＷにおける外側の端部である。延出部６３の板厚方向は、幅方向ＸＷと平行であり、フランジ部３７の板厚方向と直交する。図１６に示すように、配管カバー１０１を施工面７Ａ、７Ｂに設置したとき、延出部６３は、端部６５から、隅７Ｃに向けて延びる。
【００４８】
図１２に示すように、延出部６３における施工面７Ａ側の端部６７は、第１フランジ部分５７を外挿した平面上にある。延出部６３における施工面７Ｂ側の端部６９は、第２フランジ部分５９を外挿した平面上にある。端部６７と端部６９とは直交する。側面視において、延出部６３は、対向部分６１よりも、施工面７Ａ、７Ｂに近い。
【００４９】
端部６７と端部６９とが交差する頂点を頂点７１とする。図１５、図１６に示すように、延出部６３の内側面は、頂点７１に近づくほど板厚が減少するように、階段状に薄肉化されている。
【００５０】
図１６に示すように、配管カバー１０１を施工面７Ａ、７Ｂに設置したとき、収容部３５は、管継手７３、及び配管７５、７７を覆う。管継手７３は施工面７Ａ、７Ｂに跨って設置されている。配管７５は管継手７３に接続し、施工面７Ａ上に設置されている。配管７７は管継手７３に接続し、施工面７Ｂ上に配置されている。配管７５は引出口４９Ａから引き出され、配管７７は引出口４９Ｂから引き出される。
【００５１】
２．配管カバー１０１が奏する効果
（２Ａ）配管カバー１０１は、端部６５から隅７Ｃに向けて延びる延出部６３を備える。そのため、収容部３５の密閉性を向上させることができる。また、延出部６３が隅７Ｃと干渉する場合は、延出部６３の一部を切り落として、干渉を抑制することができる。延出部６３の一部を切り落としても、フランジ部３５が損傷することはない。
【００５２】
また、上記のとおり、延出部６３によって収容部３５の密閉性を向上させることができるので、対向部分６１を必ずしも隅７Ｃに接近させなくてもよい。そのため、対向部分６１と隅７Ｃとの干渉を抑制できる。
【００５３】
（２Ｂ）配管カバー１０１において、収容部３５は、第１軸方向Ｘ１に沿って延びる第１収容部３９と、第２軸方向Ｘ２に沿って延びる第２収容部４１とが、略Ｌ字型に接続した形態を有する。フランジ部３７は、第１フランジ部分５７と、第２フランジ部分５９と、対向部分６１とを有する。第１フランジ部分５７は、第１収容部３９の外側に設けられ、施工面７Ａに当接する。第２フランジ部分５９は、第２収容部４１の外側に設けられ、施工面７Ｂに当接する。対向部分６１は、第１フランジ部分５７と第２フランジ部分５９とを接続する。
【００５４】
そのため、図１６に示すように、配管カバー１０１は、管継手７３、及び配管７５、７７を覆うことができる。また、上記の構成を有するフランジ部３７を備えることにより、収容部３５の密閉性を一層向上させることができる。
【００５５】
（２Ｃ）対向部分６１は、側面視において、隅７Ｃに向けて張り出す略円弧形状を有する。そのため、配管カバー１０１の剛性を確保しつつ、対向部分６１と隅７Ｃとの間に隙間を形成することができる。その結果、隅７Ｃと配管カバー１０１との干渉を抑制することができる。
＜他の実施形態＞
以上、本開示の実施形態について説明したが、本開示は上述の実施形態に限定されることなく、種々変形して実施することができる。
【００５６】
（１）第２実施形態において、配管カバー１０１を、図１７に示す施工面７Ａ、７Ｂに設置してもよい。管継手７３、及び配管７５、７７は、図１６に示すものと同様である。施工面７Ａには、引出孔７９が形成されている。引出孔７９には配管８１が収容されている。配管８１は管継手７３に接続している。
【００５７】
（２）第１実施形態において、リブ１８の位置は、先端２１から離れた位置であってもよい。
（３）第１実施形態における延出部２９、及び第２実施形態における延出部６３の形態は適宜設定できる。例えば、延出部２９、６３のうち、隅７Ｃに対向する部分の形態を、隅７Ｃに向けて張り出す円弧形状としてもよい。
【００５８】
（４）第１実施形態において、フランジ部９と、施工面７Ａ、７Ｂとの間に、パッキンや気密性のシートを設けてもよい。
（５）図１８Ａ、図１８Ｂに示すように、内側面２９Ｃは、階段状に薄肉化されている形態ではなく、複数の溝３５が互いに平行に形成されている形態であってもよい。溝３５の形状は、例えば、直線状である。溝３５同士の間隔は、例えば、一定である。溝３５の長手方向と、施工面７Ａ、７Ｂとが成す角度は、例えば、それぞれ４５度である。
【００５９】
（６）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【００６０】
（７）上述した配管カバー１、１０１の他、当該配管カバー１、１０１を構成要素とするシステム、配管カバー１、１０１の配置方法等、種々の形態で本開示を実現することもできる。
【符号の説明】
【００６１】
１、１０１…配管カバー、３、７５、７７、８１…配管、５、７９…引出孔、７Ａ、７Ｂ…施工面、７Ｃ…隅、９…フランジ部、１１…筒状部、１３…孔、１５…開口部、１６…第１面、１７…端部、１８…リブ、１９…第２面、２１…先端、２３…境界線、２５…傾斜部、２７…平坦部、２９、６３…延出部、２９Ａ、２９Ｂ…端部、２９Ｃ…内側面、２９Ｄ…頂点、３３…端部、３５…収容部、３７…フランジ部、３９…第１収容部、４１…第２収容部、４３Ａ、４３Ｂ…中央部、４５Ａ、４５Ｂ…側面部、４７Ａ、４７Ｂ…端面、４９Ａ、４９Ｂ…引出口、５１Ａ、５１Ｂ…開口部、５３、５５…リブ、６５、６７、６９…端部、７１…頂点、７３…管継手
【図１】
2018084264.tif 000003
【図２】
2018084264.tif 000004
【図３】
2018084264.tif 000005
【図４】
2018084264.tif 000006
【図５】
2018084264.tif 000007
【図６】
2018084264.tif 000008
【図７】
2018084264.tif 000009
【図８】
2018084264.tif 000010
【図９】
2018084264.tif 000011
【図１０】
2018084264.tif 000012
【図１１】
2018084264.tif 000013
【図１２】
2018084264.tif 000014
【図１３】
2018084264.tif 000015
【図１４】
2018084264.tif 000016
【図１５】
2018084264.tif 000017
【図１６】
2018084264.tif 000018
【図１７】
2018084264.tif 000019
【図１８】
2018084264.tif 000020
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
第１施工面及び第２施工面により構成される入隅に設置される配管カバーであって、
配管、又は、前記入隅に形成された引出孔を覆う収容部と、
前記収容部の外側に設けられ、少なくとも、前記入隅における隅に対向する対向部分を有するフランジ部と、
前記対向部分の端部から前記隅に向けて延びる延出部と、  
を備え、
前記フランジ部は、前記第１施工面に当接する第１フランジ部分と、前記第２施工面に当接する第２フランジ部分と、前記第１フランジ部分と前記第２フランジ部分とを接続する前記対向部分と、を有する配管カバー。
【請求項２】
第１施工面及び第２施工面により構成される入隅に設置される配管カバーであって、
配管、又は、前記入隅に形成された引出孔を覆う収容部と、
前記収容部の外側に設けられ、少なくとも、前記入隅における隅に対向する対向部分を有するフランジ部と、
前記対向部分の端部から前記隅に向けて延びる延出部と、 
を備え、
前記収容部は、第１軸方向に沿って延びる第１収容部と、前記第１軸方向と直交する第２軸方向に沿って延びる第２収容部とが、略Ｌ字型に接続した形態を有し、
前記フランジ部は、
前記第１収容部の外側に設けられ、前記第１施工面に当接する第１フランジ部分と、
前記第２収容部の外側に設けられ、前記第２施工面に当接する第２フランジ部分と、
前記第１フランジ部分と前記第２フランジ部分とを接続する前記対向部分と、
を有する配管カバー。
【請求項３】
第１施工面及び第２施工面により構成される入隅に設置される配管カバーであって、
配管、又は、前記入隅に形成された引出孔を覆う収容部と、
前記収容部の外側に設けられ、少なくとも、前記入隅における隅に対向する対向部分を有するフランジ部と、
前記対向部分の端部から前記隅に向けて延びる延出部と、  
を備え、
前記対向部分は、側面視において、前記隅に向けて張り出す略円弧形状を有する配管カバー。